(57)【要約】      （修正有）【課題】移動体の冷却設備をコンパクト化しつつ、外部の冷却設備と切り離した後でも冷却能力を持続可能にする。【解決手段】移動体の冷却システム１０は、移動体に入口接続部１４と出口接続部１６とを有し、入口接続部１４と出口接続部１６との間に延在する第１冷媒流路１２と、被冷却対象物１８が第１冷媒流路１２を流れる冷媒によって冷却される熱交換部２０と、熱交換部２０と出口接続部１６との間に設けられ、吸着材または吸収剤が収容された容器２２と、熱交換部２０と第１冷媒流路１２における容器２２との接続点との間に設けられた圧力調整弁２４と、を備える。【選択図】図１
2019060515.tif 000002
【特許請求の範囲】
【請求項１】
移動体に入口接続部と出口接続部とを有し、前記入口接続部と前記出口接続部との間に延在する第１冷媒流路と、
被冷却対象物が前記第１冷媒流路を流れる冷媒によって冷却される熱交換部と、
前記熱交換部と前記出口接続部との間に設けられ、吸着材または吸収剤が収容された容器と、
前記熱交換部と前記第１冷媒流路における前記容器との接続点との間に設けられた圧力調整弁と、
を備えることを特徴とする移動体の冷却システム。
【請求項２】
前記容器は、前記吸着材または前記吸収剤を加熱する加熱器を有することを特徴とする請求項１に記載の移動体の冷却システム。
【請求項３】
前記容器は、外周面に熱交換フィンを有することを特徴とする請求項１または２に記載の移動体の冷却システム。
【請求項４】
前記熱交換部と前記接続点との間に設けられる複数の並列流路を含み、
前記並列流路のうちの１つに前記圧力調整弁が設けられ、前記並列流路のうちの他の流路に開閉弁を備えることを特徴とする請求項１乃至３の何れか一項に記載の移動体の冷却システム。
【請求項５】
前記移動体外に設けられ前記入口接続部および前記出口接続部に着脱可能な接続部を有し、前記第１冷媒流路に接続されて冷媒循環路を形成可能な第２冷媒流路と、
前記第２冷媒流路に設けられる冷凍サイクル構成機器と、
を備える冷凍機を含み、
前記冷凍サイクル構成機器は、
冷媒ガスを圧縮するための圧縮機と、
前記圧縮機で圧縮された前記冷媒ガスを凝縮させるための凝縮器と、
前記凝縮器で凝縮された冷媒液を減圧するための膨張弁と、
を含むことを特徴とする請求項１乃至４の何れか一項に記載の移動体の冷却システム。
【請求項６】
前記冷凍サイクル構成機器は、
前記圧縮機の上流側で前記第２冷媒流路が接続され、かつ、前記膨張弁の下流側で前記第２冷媒流路が接続される低圧レシーバを含むことを特徴とする請求項５に記載の移動体の冷却システム。
【請求項７】
前記第１冷媒流路と前記第２冷媒流路とが接続されたとき、前記吸着材または前記吸収剤に吸着または吸収された冷媒ガス、及び前記熱交換部に溜まった冷媒ガスを前記低圧レシーバに戻すと共に、
前記低圧レシーバに貯留された冷媒液を前記第１冷媒流路に供給するように構成されることを特徴とする請求項６に記載の移動体の冷却システム。
【請求項８】
前記第１冷媒流路の前記入口接続部および前記出口接続部と前記第２冷媒流路の前記接続部とを着脱可能に接続するためのムシ押し式継手を備えることを特徴とする請求項５乃至７の何れか一項に記載の移動体の冷却システム。
【請求項９】
前記容器に充填される前記吸着材または前記吸収剤の充填量は、
前記熱交換部における冷媒液が全量蒸発しても前記容器内の冷媒ガスの圧力が前記圧力調整弁の設定圧力を超えないように設定されることを特徴とする請求項１乃至８の何れか一項に記載の移動体の冷却システム。
【発明の詳細な説明】
【技術分野】
【０００１】
本開示は、移動体の冷却システムに関する。
【背景技術】
【０００２】
従来、航空機、自動車等の移動体の空調や電子機器類などの発熱源の冷却は、駐機又は駐車時に外部の冷却設備から冷却空気や冷水を供給して行う顕熱型の熱交換方式が採用されている。
例えば、特許文献１には、地上に駐機した航空機に対し、機体に冷風供給ダクトを接続して冷風を供給する冷房装置が開示されている。特許文献２には、航空機に搭載され、熱移動媒体として水を用いた冷却システムが開示されている。
【先行技術文献】
【特許文献】
【０００３】
【特許文献１】特開２００４−２３２９７９号公報
【特許文献２】特開２０１５−００３６４２号公報
【発明の概要】
【発明が解決しようとする課題】
【０００４】
特許文献１及び特許文献２に開示された冷却システムは、顕熱の熱交換方式を採用しているため、冷却能力が小さく、従って、熱交換面積を大きくする必要があり、省体積が望まれる移動体には不向きである。また、必要となる熱移動媒体の流量が多くなり、ポンプなどが大型化したり、消費電力が増加する、等の問題がある。
また、移動体に冷却設備を搭載する方式は、搭載用のスペースを必要とし、かつ重量が増加するため、移動体のコンパクト化に反する。
【０００５】
一実施形態は、上記課題に鑑み、移動体の冷却設備をコンパクト化しつつ、外部の冷却設備と切り離した後でも冷却能力を持続可能にすることを目的とする。
【課題を解決するための手段】
【０００６】
（１）一実施形態に係る移動体の冷却システムは、
移動体に入口接続部と出口接続部とを有し、前記入口接続部と前記出口接続部との間に延在する第１冷媒流路と、
被冷却対象物が前記第１冷媒流路を流れる冷媒によって冷却される熱交換部と、
前記熱交換部と前記出口接続部との間に設けられ、吸着材または吸収剤が収容された容器と、
前記熱交換部と前記第１冷媒流路における前記容器との接続点との間に設けられた圧力調整弁と、
を備える。
【０００７】
上記（１）の構成において、上記熱交換部で第１冷媒流路を流れる冷媒液は被冷却対象物と熱交換し、蒸発しつつ被冷却対象物から蒸発潜熱を奪って被冷却対象物を冷却する。このように、被冷却対象物を蒸発潜熱によって冷却するので、冷却能力を高めることができると共に、外部の冷却設備と切り離された後も、被冷却対象物を冷却する能力を維持できる。
また、蒸発した冷媒ガスの圧力が上記圧力調整弁の設定値に達すると、該圧力調整弁が開き、冷媒ガスは上記容器に収容された吸着材又は吸収剤に吸着又は吸収されるので、熱交換部の冷媒ガス圧を安全な低圧に保持できる。
【０００８】
（２）一実施形態では、前記（１）の構成において、
前記容器は、前記吸着材または前記吸収剤を加熱する加熱器を有する。
上記（２）の構成によれば、必要時に上記加熱器で容器に貯留された冷媒ガスを加熱することで、冷媒ガスを吸着材又は吸収剤から脱離させ、冷媒ガスの捕捉能力を回復できる。
【０００９】
（３）一実施形態では、前記（１）又は（２）の構成において、
前記容器は、外周面に熱交換フィンを有する。
上記（３）の構成によれば、冷媒ガスを吸着又は吸収することで生じた熱は上記熱交換フィンにより外部へ放出することで、冷媒ガスを速やかに捕捉できる。また、捕捉した冷媒ガスを放出するときは、熱交換フィンから外気の熱を取り込み、容器に捕捉された冷媒ガスを加熱することで、容器から脱離することができる。
【００１０】
（４）一実施形態では、前記（１）〜（３）の何れかの構成において、
前記熱交換部と前記接続点との間に設けられる複数の並列流路を含み、
前記並列流路のうちの１つに前記圧力調整弁が設けられ、前記並列流路のうちの他の流路に開閉弁を備える。
上記（４）の構成によれば、上記入口接続部及び上記出口接続部を介して移動体外の冷却設備と接続されたとき、上記熱交換部で蒸発した冷媒ガスは上記開閉弁を開くことで冷却設備に戻すことができる。これによって、代わりに熱交換部への冷媒液の導入が可能になる。また、外部冷却設備と切り離されたときは、該開閉弁を閉じることで、圧力調整弁による被冷却対象の温度制御が可能となる。
【００１１】
（５）一実施形態では、前記（１）〜（４）の何れかの構成において、
前記移動体外に設けられ前記入口接続部および出口接続部に着脱可能な接続部を有し、前記第１冷媒流路に接続されて冷媒循環路を形成可能な第２冷媒流路と、
前記第２冷媒流路に設けられる冷凍サイクル構成機器と、
を備える冷凍機を含み、
前記冷凍サイクル構成機器は、
冷媒ガスを圧縮するための圧縮機と、
前記圧縮機で圧縮された前記冷媒ガスを凝縮させるための凝縮器と、
前記凝縮器で凝縮された冷媒液を減圧するための膨張弁と、
を含む。
【００１２】
上記（５）の構成によれば、移動体の駐機時に、熱交換部に溜まった冷媒ガス及び容器に貯留された冷媒ガスを上記構成の冷凍機に戻し、代わりに該冷凍機から冷媒液を熱交換部に供給することで、熱交換部の冷却能力を回復するとともに駐機時にも冷却を維持できる。
【００１３】
（６）一実施形態では、前記（５）の構成において、
前記冷凍サイクル構成機器は、
前記圧縮機の上流側で前記第２冷媒流路が接続され、かつ、前記膨張弁の下流側で前記第２冷媒流路が接続される低圧レシーバを含む。
上記（６）の構成によれば、上記冷凍機が上記低圧レシーバを有することで、第１冷媒流路から第２冷媒流路への冷媒ガスの受け入れ時期及び受け入れ量、及び第１冷媒流路から第２冷媒流路への冷媒液の供給時期及び供給量の自由度を広げることができる。
【００１４】
（７）一実施形態では、前記（６）の構成において、
前記第１冷媒流路と前記第２冷媒流路とが接続されたとき、前記吸着材または前記吸収剤に吸着または吸収された冷媒ガス、及び前記熱交換部に溜まった冷媒ガスを前記低圧レシーバに戻すと共に、
前記低圧レシーバに貯留された冷媒液を前記第１冷媒流路に供給するように構成される。
上記（７）の構成によれば、第１冷媒流路から第２冷媒流路への冷媒ガスの受け入れ及び第２冷媒流路から第１冷媒流路への冷媒液の供給を、内部が低圧の低圧レシーバを介して行うので、支障なく円滑に行うことができる。
【００１５】
（８）一実施形態では、前記（５）〜（７）の何れかの構成において、
前記第１冷媒流路の前記入口接続部および前記出口接続部と前記第２冷媒流路の前記接続部とを着脱可能に接続するためのムシ押し式継手を備える。
上記（８）の構成によれば、第１冷媒流路の前記入口接続部および前記出口接続部と前記第２冷媒流路の前記接続部とに上記ムシ押し式継手を備えることで、上記接続部の切り離しと同時に上記接続部が閉じられるので、冷媒の外部への漏れを抑制できる。
【００１６】
（９）一実施形態では、前記（１）〜（８）の何れかの構成において、
前記容器に充填される前記吸着材または前記吸収剤の充填量は、
前記熱交換部における冷媒液が全量蒸発しても前記容器内の冷媒ガスの圧力が前記圧力調整弁の設定圧力を超えないように設定される。
上記（９）の構成によれば、熱交換部の冷媒液が全量蒸発しても容器内の冷媒ガス圧を低く保つことができるので、冷却システムを最後まで正常に作動させることができる。従って、熱交換部に貯留された冷媒液による冷却能力を最大限に利用できる。
【発明の効果】
【００１７】
一実施形態によれば、移動体の冷却設備をコンパクト化しつつ、移動体外の冷却設備と切り離した後も冷却能力を持続できる。
【図面の簡単な説明】
【００１８】
【図１】一実施形態に係る冷却システムの系統図である。
【図２】一実施形態に係る冷却システムの系統図である。
【図３】熱交換部及び容器内の冷媒ガス圧の制御の一例を示すグラフである。
【発明を実施するための形態】
【００１９】
以下、添付図面を参照して本発明の幾つかの実施形態について説明する。ただし、実施形態として記載されまたは図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」および「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一つの構成要素を「備える」、「具える」、「具備する」、「含む」、または「有する」という表現は、他の構成要素の存在を除外する排他的な表現ではない。
【００２０】
図１及び図２は、一実施形態に係る移動体の冷却システム１０を示し、図１は移動体外（地上側）に設けられた冷凍機と切り離された状態を示し、図２は、駐機中の移動体の冷却システム１０を示し、冷媒液の補充と冷却のために該冷凍機と接続された状態を示す。境界ｂの左側が移動体側の領域であり、境界ｂの右側が地上側の領域である。
【００２１】
図１及び図２において、移動体に冷媒流路１２（第１冷媒流路）が設けられる。冷媒流路１２は移動体に設けられた入口接続部１４と出口接続部１６とを有し、入口接続部１４と出口接続部１６との間に延在する。移動体に存在する被冷却対象物１８は、熱交換部２０で冷媒流路１２を流れる冷媒によって冷却される。
移動体には吸着材又は吸収剤を収容した容器２２が設けられ、容器２２は熱交換部２０と出口接続部１６との間の冷媒流路１２に設けられる。圧力調整弁２４が熱交換部２０と冷媒流路１２における容器２２との接続点との間に設けられる。
【００２２】
上記構成において、図１に示すように、移動体が地上側の冷却設備と切り離された状態で、冷媒流路１２内の冷媒液は、熱交換部２０において被冷却対象物１８と熱交換し、蒸発しつつ被冷却対象物１８から蒸発潜熱を奪って冷却する。このように、被冷却対象物１８を冷媒液の蒸発潜熱によって冷却するため、冷却能力を高めることができる。また、外部の冷却設備と切り離された後も、冷媒液の蒸発潜熱によって被冷却対象物１８の冷却を持続できる。
また、熱交換部２０において蒸発した冷媒ガスの圧力が圧力調整弁２４の設定値に達すると、圧力調整弁２４が開き、冷媒ガスは容器２２に流れ、容器２２に収容された吸着材又は吸収剤に捕捉されるので、熱交換部２０の冷媒ガス圧を安全な低圧に保持できる。
【００２３】
図１及び図２は、容器２２に吸着材２６を収容した実施形態を示している。この実施形態では、圧力調整弁２４から吐出した冷媒ガスは容器２２に入り吸着材２６に吸着される。なお、吸着材２６の代わりに容器２２に吸収剤を充填し、冷媒ガスを吸収剤に吸収させるようにしてもよい。
【００２４】
一実施形態では、図１及び図２に示すように、容器２２は容器２２に収容された吸着材又は吸収剤を加熱する加熱器２８を有する。
この実施形態によれば、必要時に加熱器２８で容器２２に貯留された冷媒ガスを加熱することで、冷媒ガスを吸着材又は吸収剤から脱離させ、容器２２から放出することができる。例えば、図２に示すように、冷媒流路１２が地上側の冷却設備と接続され、容器２２内に捕捉された冷媒ガスを地上側の冷却設備に戻すとき、必要に応じて加熱器２８で吸着材又は吸収剤を加熱することで、吸着材又は吸収剤から冷媒ガスを脱離させ、地上側の冷却設備に戻すことができる。
【００２５】
一実施形態では、図１及び図２に示すように、容器２２は外周面に熱交換フィン３０を有する。
この実施形態によれば、熱交換フィン３０を介して外気と容器内の吸着材又は吸収剤とを熱交換させることができる。冷媒ガスを吸着材又は吸収剤に吸着又は吸収させる際には熱が発生する。この発熱は熱交換フィン３０により外部へ放出することで、冷媒ガスを速やかに捕捉できる。また、吸着材又は吸収剤に捕捉された冷媒ガスを脱離させるときは、熱エネルギを必要とする。この熱源として熱交換フィン３０を介して容器内に外気の熱を取り入れ、吸着材又は吸収剤を加熱する。これによって、冷媒ガスを容器２２から放出し地上側の冷却設備に戻すことができる。
【００２６】
なお、容器内に捕捉された冷媒ガスを脱離させるために、外気の熱で足りるときは加熱器２８で加熱する必要はない。
このように、加熱器２８及び熱交換フィン３０を備えることで、冷媒ガスの捕捉と脱離とを繰り返し行うことができる。
【００２７】
一実施形態では、吸着材と冷媒との組み合わせとして、例えば、吸着材としての活性炭、シリカゲル又はゼオライトと冷媒としての水又はＮＨ３との組み合わせ、吸着材としての活性炭と冷媒としての代替フロンとの組み合わせ、あるいは、吸着材としての活性炭、ゼオライト、ＣａＯと冷媒としてのＣＯ２との組み合わせ、等が適用できる。
また、吸収剤と冷媒との組み合わせとして、例えば、吸収剤としての臭化リチウムと冷媒としての水との組み合わせ、あるいは、吸収剤としての水と冷媒としてのＮＨ３との組み合わせ等が適用できる。
【００２８】
一実施形態では、熱交換部２０において、冷媒流路１２としてコイル状の管路を備え、冷媒が該コイル状管路を流れるとき蒸発しつつ被冷却対象物１８から蒸発潜熱を奪い、被冷却対象物１８を冷却する。
一実施形態では、移動体は航空機、自動車、電車、重機などの建設機械、船舶、フォークリフトなどの産業用運搬車両等であり、被冷却対象物１８はこれら移動体に搭載された電子機器などの発熱体である。また、被冷却対象物１８が移動体の室内の空調である場合、熱交換部２０は、冷媒と室内空気とを熱交換する熱交換器を構成する。
【００２９】
一実施形態では、図１及び図２に示すように、移動体外に移動体に冷媒液を供給するための冷凍機３２を備える。冷凍機３２は、冷媒流路１２と接続して冷媒循環路を形成可能な冷媒流路３４（第２冷媒流路）と、冷媒流路３４に設けられる冷凍サイクル構成機器とを備える。冷媒流路３４は、冷媒流路１２の入口接続部１４に着脱可能な接続部３６と、出口接続部１６に着脱可能な接続部３８とを有する。
上記冷凍サイクル構成機器は、冷媒ガスを圧縮するための圧縮機４０と、圧縮機４０で圧縮された冷媒ガスを凝縮させるための凝縮器４２と、凝縮器４２で凝縮された冷媒液を減圧するための膨張弁４４と、を有する。
【００３０】
図２に示すように、移動体の駐機時に、入口接続部１４に接続部３６を接続し、出口接続部１６に接続部３８を接続する。そして、熱交換部２０に溜まった冷媒ガス及び容器２２の吸着材又は吸収剤に捕捉された冷媒ガスを出口接続部１６を介して冷媒流路３４に戻す。冷媒流路３４に戻された冷媒ガスを冷凍機３２で冷却して冷媒液とし、この冷媒液を入口接続部１４を介して熱交換部２０に供給する。これによって、熱交換部２０の冷却能力を回復でき、駐機中の冷却が可能となる。
【００３１】
一実施形態では、冷媒流路３４に冷媒ポンプ４６が設けられる。冷媒ポンプ４６によって、冷媒流路１２及び３４が接続されることで形成された冷媒循環路に冷媒ｒを循環させることができる。なお、図１及び図２に示す矢印は冷媒ｒの流れる方向を示す。
【００３２】
一実施形態では、図１及び図２に示すように、熱交換部２０と容器２２が冷媒流路１２に接続される接続点４８との間に複数の並列流路１２ａ及び１２ｂが設けられる。そして、並列流路１２ａ及び１２ｂのうちの１つに圧力調整弁２４が設けられ、並列流路１２ａ及び１２ｂのうちの他の流路に止め弁５０（開閉弁）が設けられる。
図１に示すように、冷媒流路１２が入口接続部１４及び出口接続部１６を介して移動体外の冷媒流路３４と接続されたとき、止め弁５０が開放される。止め弁５０が開放されることで、熱交換部２０に溜まった冷媒ガスは止め弁５０を介して出口接続部１６から冷凍機３２に回収される。容器２２に捕捉された冷媒ガスも同様に出口接続部１６を介して冷凍機３２に回収される。
【００３３】
冷凍機３２に回収された冷媒ガスは圧縮機４０で圧縮された後、凝縮器４２で冷媒液に凝縮され、さらに、膨張弁４４で減圧される。膨張弁４４を経て減圧された冷媒液は、入口接続部１４を経て熱交換部２０に供給される。これによって、熱交換部２０の冷媒ガスを冷媒液と入れ替えることができると共に、容器２２に捕捉された冷媒ガスを冷凍機３２に戻すことができる。
【００３４】
図１に示すように、冷媒流路１２が冷媒流路３４と切り離されたとき、止め弁５０は閉じられ、熱交換部２０で被冷却対象物１８と冷媒液との熱交換が行われ、被冷却対象物１８は冷媒液によって蒸発潜熱を奪われ冷却される。熱交換部２０で溜まった冷媒ガスは圧力が圧力調整弁２４の設定値に達すると、圧力調整弁２４を介して容器２２に送られ、容器２２に収容された吸着材又は吸収剤に捕捉される。圧力調整弁２４の圧力設定値を調整することで、被冷却対象物１８の温度制御が可能になる。
【００３５】
一実施形態では、図１及び図２に示すように、冷凍機３２を構成する冷凍サイクル構成機器は低圧レシーバ５２を有する。低圧レシーバ５２には圧縮機４０の上流側で冷媒流路３４が接続され、かつ膨張弁４４の下流側で冷媒流路３４が接続される。
この実施形態によれば、冷媒流路１２から冷媒流路３４への冷媒ガスの受け入れ時期及び受け入れ量、及び冷媒流路３４から冷媒流路１２への冷媒液の供給時期及び供給量の自由度を広げることができる。
【００３６】
この実施形態では、冷媒流路１２及び３４が接続されているとき、容器２２の吸着材又は吸収剤に捕捉された冷媒ガス、及び熱交換部２０に溜まった冷媒ガスは、出口接続部１６を介して冷媒流路３４に流入し、一旦低圧レシーバ５２に流入する。また、膨張弁４４で減圧された冷媒液は一旦低圧レシーバ５２に流入した後、入口接続部１４及び冷媒流路１２を介して熱交換部２０に供給される。
この実施形態によれば、冷媒流路１２から冷凍機３２への冷媒ガスの受け入れ、及び冷凍機３２からの冷媒流路１２への冷媒液の供給を内部が低圧の低圧レシーバ５２を介して行うので、冷媒ガス及び冷媒液の授受を支障なくかつ円滑に行うことができる。
【００３７】
一実施形態では、冷媒流路１２の入口接続部１４と接続部３６及び出口接続部１６と接続部３８は、着脱可能なムシ押し式継手で構成される。
この実施形態によれば、入口接続部１４と接続部３６及び出口接続部１６と接続部３８がムシ押し式継手で構成されることで、これら接続部の切り離しと同時に接続部を閉じられるので、冷媒の外部への漏れを抑制できる。
【００３８】
一実施形態では、容器２２に充填される吸着材又は吸収剤の充填量は、熱交換部２０における冷媒液が全量蒸発しても容器内の冷媒ガスの圧力が圧力調整弁２４の設定圧力を超えないように設定される。
この実施形態によれば、熱交換部２０の冷媒液が全量蒸発しても容器内の冷媒ガスの圧力が圧力調整弁２４の設定圧力を超えないので、熱交換部２０の冷媒液が全量蒸発した後でも冷却システム１０を継続して最後まで正常に作動させることができる。また、熱交換部２０の冷媒液が全量蒸発することで、熱交換部２０に貯留された冷媒液の蒸発潜熱による冷却能力を最大限に利用できる。
【００３９】
図３は、熱交換部２０の冷媒ガス圧制御及び容器２２の内部の冷媒ガス圧制御の一例を示すグラフである。
図３において、ラインＡは熱交換部２０の冷媒ガス圧を示し、ラインＢは容器内の冷媒ガス圧を示す。また、縦軸のＰｌは低圧レシーバ５２の内部圧力であり、Ｐｓは圧力調整弁２４の設定圧力である。
【００４０】
図３において、冷媒流路１２と冷媒流路３４との非接続時では、時間の経過と共に熱交換部２０の冷媒ガス圧が徐々に増加する。熱交換部２０の冷媒ガス圧が圧力調整弁２４の設定圧に達すると、圧力調整弁２４が開き、熱交換部２０の冷媒ガスが容器２２に達する。従って、熱交換部２０の冷媒ガス圧は該設定圧に保たれ。他方、容器２２で冷媒ガスの捕捉が始まることで、容器内の冷媒ガス圧が徐々に増加する。図中、区間ａは圧力調整弁２４が開いた時間帯を示す。
なお、容器内の冷媒ガス圧がラインＢ’であって、時間ｔ１で熱交換部２０の冷媒液の全量が蒸発したとき、その後容器内の冷媒ガス圧は増加せず一定圧となる。
【００４１】
冷媒流路１２と冷媒流路３４とが接続された時、止め弁５０が開くので熱交換部２０の冷媒ガスは冷媒流路３４に放出される。また、容器２２では必要に応じて加熱器２８の作動や熱交換フィン３０によって吸着材又は吸収剤に捕捉された冷媒ガスは冷媒流路３４に放出される。従って、熱交換部２０の冷媒ガス圧及び容器内の冷媒ガス圧は急速に減少し、低圧レシーバ５２の内部圧まで低下する。図中、区間ｃは熱交換部２０から冷媒ガスが低圧レシーバ５２に放出され、かつ低圧レシーバ５２から熱交換部２０に冷媒液が供給される時間帯を示す。
こうして、冷却システム１０を継続して正常運転させることができる。
【産業上の利用可能性】
【００４２】
一実施形態によれば、移動体の冷却設備をコンパクト化しつつ、外部の冷却設備と切り離した後でも冷却能力を持続可能な移動体の冷却システムを実現できる。
【符号の説明】
【００４３】
１０    冷却システム
１２    冷媒流路（第１冷媒流路）
１４    入口接続部
１６    出口接続部
１８    被冷却対象物
２０    熱交換部
２２    容器
２４    圧力調整弁
２６    吸着材
２８    加熱器
３０    熱交換フィン
３２    冷凍機
３４    冷媒流路（第２冷媒流路）
３６、３８    接続部
４０    圧縮機
４２    凝縮器
４４    膨張弁
４６    冷媒ポンプ
４８    接続点
５０    止め弁（開閉弁）
５２    低圧レシーバ
Ｐｌ    熱交換部冷媒ガス圧
Ｐｓ    圧力調整弁設定圧
ｂ      境界
ｒ      冷媒
【図１】
2019060515.tif 000003
【図２】
2019060515.tif 000004
【図３】
2019060515.tif 000005